【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
遊技に伴う演出が表示される表示手段と、
遊技領域内に配置され遊技媒体が入賞可能な第一始動口と、
該第一始動口に遊技媒体が入賞したことを検出する第一入賞状態検出手段と、
該第一入賞状態検出手段による前記遊技媒体の検出に基づいて第一抽選用乱数を取得する第一乱数取得手段と、
該第一乱数取得手段により取得された前記第一抽選用乱数に基づいて抽選を行う第一抽選手段と、
該第一抽選手段の抽選結果に基づいて抽選に関する第一表示態様を決定する第一表示態様決定手段と、
該第一表示態様決定手段によって決定された前記第一表示態様を前記表示手段に導出する第一表示制御手段と、
前記遊技領域内に配置され遊技媒体が入賞可能な第二始動口と、
前記第二始動口に前記遊技媒体が入賞したことを検出する第二入賞状態検出手段と、
該第二入賞状態検出手段による前記遊技媒体の検出に基づいて第二抽選用乱数を取得する第二乱数取得手段と、
該第二乱数取得手段により取得された前記第二抽選用乱数に基づいて抽選を行う第二抽選手段と、
該第二抽選手段の抽選結果に基づいて抽選に関する第二表示態様を決定する第二表示態様決定手段と、
該第二表示態様決定手段によって決定された前記第二表示態様を前記表示手段に導出する第二表示制御手段と、
前記第一抽選手段の抽選結果が所定の結果である場合、遊技者に遊技媒体を付与する遊技媒体付与態様を有する第一有利遊技状態を発生させる第一有利遊技発生手段と、
前記第二抽選手段の抽選結果が所定の結果である場合、遊技者に遊技媒体を付与する遊技媒体付与態様を有する第二有利遊技状態を発生させる第二有利遊技発生手段と、を備え、
前記第一抽選手段及び前記第二抽選手段は、
前記第二抽選手段による抽選の結果が所定の結果であったときに前記第二有利遊技状態によって付与される遊技媒体数の期待値が、前記第一抽選手段による抽選の結果が所定の結果であったときに前記第一有利遊技状態によって付与される遊技媒体数の期待値よりも高くなるように、互いに異なる内容の抽選を行う遊技機であって、
特定の遊技状態か否かを判定する遊技状態判定手段と、
前記遊技状態判定手段によって前記特定の遊技状態になったことが判定されたとき、前記第二始動口への遊技媒体の入賞が困難な状態から容易な状態へと変化させる頻度を高める制御を行う有利抽選促進手段と、を備え、
前記特定の遊技状態に制御されているときには、前記有利抽選促進手段による前記頻度を高める制御によって、前記抽選結果が所定の結果であるときに付与される遊技媒体数の期待値が高い前記第二抽選手段による抽選が行われ易くしたものであって、
さらに、
前記第一有利遊技状態もしくは前記第二有利遊技状態の発生中、または前記第一表示態様もしくは前記第二表示態様の導出中に、前記第一入賞検出手段によって前記遊技媒体が検出された場合、前記第一乱数取得手段によって取得された前記第一抽選用乱数を同第一抽選用乱数が前記抽選に供されるときまで保留記憶させることによって、当該検出に基づく前記第一抽選手段による抽選の実行を第一待機上限数まで待機させる第一保留手段と、
前記第一有利遊技状態もしくは前記第二有利遊技状態の発生中、または前記第一表示態様もしくは前記第二表示態様の導出中に、前記第二入賞検出手段によって前記遊技媒体が検出された場合、前記第二乱数取得手段によって取得された前記第二抽選用乱数を同第二抽選用乱数が前記抽選に供されるときまで保留記憶させることによって、当該検出に基づく前記第二抽選手段による抽選の実行を第二待機上限数まで待機させる第二保留手段と、
前記第一保留手段により保留記憶されている前記第一抽選用乱数の数と、前記第二保留手段により保留記憶されている前記第二抽選用乱数の数とを個別にカウントするカウンタ手段と、
前記待機の状態とされている抽選が実行可能となった場合、特定の遊技状態にあるか否かにかかわらず、前記第二保留手段による前記第二抽選用乱数の保留記憶によって前記第二抽選手段による抽選の実行が待機されているかを判断する第二保留消化先行判断手段と、
前記第二保留消化先行判断手段により前記第二抽選手段による抽選の実行が待機されている旨判断された場合、前記第一保留手段による保留記憶の有無にかかわらず、前記第二保留手段により保留記憶されている前記第二抽選用乱数をそれらの保留記憶順に基づいて読み出し、該読み出した前記第二抽選用乱数に基づいて前記第二抽選手段による抽選を実行させる第二保留先消化手段と、
前記第二保留消化先行判断手段により前記第二抽選手段による抽選の実行が待機されていない旨判断された場合にだけ、前記第一保留手段により保留記憶されている前記第一抽選用乱数をそれらの保留記憶順に基づいて読み出し、該読み出した前記第一抽選用乱数に基づいて前記第一抽選手段による抽選を実行させる第一保留後消化手段と、を備えることで、
前記カウンタ手段によって個別にカウントされる前記第一抽選用乱数の数と前記第二抽選用乱数の数とがいずれも「１」以上である場合は、前記第一保留手段により保留記憶されている前記第一抽選用乱数と前記第二保留手段により保留記憶されている前記第二抽選用乱数との間での保留記憶の順序にかかる先後関係にかかわらず、前記待機の状態とされている前記第二抽選手段による抽選を前記第二保留先消化手段によりすべて消化してから、前記待機の状態とされている前記第一抽選手段による抽選を実行させるようにした
ことを特徴とする遊技機。
【請求項２】
開放することにより前記第二始動口への入賞を可能にする電動開閉入賞装置と、
遊技媒体が通過可能な通過ゲートと、
前記通過ゲートに遊技媒体が通過することに基づいて抽選を行う第三抽選手段と、
該第三抽選手段の抽選結果が当りの場合、前記電動開閉入賞装置を所定時間開放させる開放制御手段と
をさらに備え、
前記有利抽選促進手段は、前記特定の遊技状態における前記第三抽選手段の当選確率を高くすることにより、前記第二始動口における遊技媒体の入賞し易さを向上させる
請求項１に記載の遊技機。
【請求項３】
前記第一保留手段は、前記第一乱数取得手段によって取得された前記第一抽選用乱数を第一乱数専用記憶領域にて保留記憶させることによって、前記第一抽選手段による抽選の実行を第一待機上限数まで待機させるものであり、
前記第二保留手段は、前記第二乱数取得手段によって取得された前記第二抽選用乱数を前記第一乱数専用記憶領域とは別に設けられた第二乱数専用記憶領域にて保留記憶させることによって、前記第二抽選手段による抽選の実行を第二待機上限数まで待機させるものであり、
前記第二保留消化先行判断手段は、前記第二乱数専用記憶領域への前記第二抽選用乱数の保留記憶によって前記第二抽選手段による抽選の実行が待機されているかを判断するものであり、
前記第二保留先消化手段は、前記第二乱数専用記憶領域にて記憶されている前記第二抽選用乱数を前記第二保留手段による保留記憶順に基づいて読み出し、該読み出した前記第二抽選用乱数に基づいて前記第二抽選手段による抽選を実行させるものであり、
前記第一保留後消化手段は、前記第一乱数専用記憶領域にて記憶されている前記第一抽選用乱数を前記第一保留手段による保留記憶順に基づいて読み出し、該読み出した前記第一抽選用乱数に基づいて前記第一抽選手段による抽選を実行させるものである
請求項１または２に記載の遊技機。
【手続補正２】
【補正対象書類名】明細書
【補正対象項目名】０００８
【補正方法】変更
【補正の内容】
【０００８】
手段１：「遊技に伴う演出が表示される表示手段と、
遊技領域内に配置され遊技媒体が入賞可能な第一始動口と、
該第一始動口に遊技媒体が入賞したことを検出する第一入賞状態検出手段と、
該第一入賞状態検出手段による前記遊技媒体の検出に基づいて第一抽選用乱数を取得する第一乱数取得手段と、
該第一乱数取得手段により取得された前記第一抽選用乱数に基づいて抽選を行う第一抽選手段と、
該第一抽選手段の抽選結果に基づいて抽選に関する第一表示態様を決定する第一表示態様決定手段と、
該第一表示態様決定手段によって決定された前記第一表示態様を前記表示手段に導出する第一表示制御手段と、
前記遊技領域内に配置され遊技媒体が入賞可能な第二始動口と、
前記第二始動口に前記遊技媒体が入賞したことを検出する第二入賞状態検出手段と、
該第二入賞状態検出手段による前記遊技媒体の検出に基づいて第二抽選用乱数を取得する第二乱数取得手段と、
該第二乱数取得手段により取得された前記第二抽選用乱数に基づいて抽選を行う第二抽選手段と、
該第二抽選手段の抽選結果に基づいて抽選に関する第二表示態様を決定する第二表示態様決定手段と、
該第二表示態様決定手段によって決定された前記第二表示態様を前記表示手段に導出する第二表示制御手段と、
前記第一抽選手段の抽選結果が所定の結果である場合、遊技者に遊技媒体を付与する遊技媒体付与態様を有する第一有利遊技状態を発生させる第一有利遊技発生手段と、
前記第二抽選手段の抽選結果が所定の結果である場合、遊技者に遊技媒体を付与する遊技媒体付与態様を有する第二有利遊技状態を発生させる第二有利遊技発生手段と、を備え、
前記第一抽選手段及び前記第二抽選手段は、
前記第二抽選手段による抽選の結果が所定の結果であったときに前記第二有利遊技状態によって付与される遊技媒体数の期待値が、前記第一抽選手段による抽選の結果が所定の結果であったときに前記第一有利遊技状態によって付与される遊技媒体数の期待値よりも高くなるように、互いに異なる内容の抽選を行う遊技機であって、
特定の遊技状態か否かを判定する遊技状態判定手段と、
前記遊技状態判定手段によって前記特定の遊技状態になったことが判定されたとき、前記第二始動口への遊技媒体の入賞が困難な状態から容易な状態へと変化させる頻度を高める制御を行う有利抽選促進手段と、を備え、
前記特定の遊技状態に制御されているときには、前記有利抽選促進手段による前記頻度を高める制御によって、前記抽選結果が所定の結果であるときに付与される遊技媒体数の期待値が高い前記第二抽選手段による抽選が行われ易くしたものであって、
さらに、
前記第一有利遊技状態もしくは前記第二有利遊技状態の発生中、または前記第一表示態様もしくは前記第二表示態様の導出中に、前記第一入賞検出手段によって前記遊技媒体が検出された場合、前記第一乱数取得手段によって取得された前記第一抽選用乱数を同第一抽選用乱数が前記抽選に供されるときまで保留記憶させることによって、当該検出に基づく前記第一抽選手段による抽選の実行を第一待機上限数まで待機させる第一保留手段と、
前記第一有利遊技状態もしくは前記第二有利遊技状態の発生中、または前記第一表示態様もしくは前記第二表示態様の導出中に、前記第二入賞検出手段によって前記遊技媒体が検出された場合、前記第二乱数取得手段によって取得された前記第二抽選用乱数を同第二抽選用乱数が前記抽選に供されるときまで保留記憶させることによって、当該検出に基づく前記第二抽選手段による抽選の実行を第二待機上限数まで待機させる第二保留手段と、
前記第一保留手段により保留記憶されている前記第一抽選用乱数の数と、前記第二保留手段により保留記憶されている前記第二抽選用乱数の数とを個別にカウントするカウンタ手段と、
前記待機の状態とされている抽選が実行可能となった場合、特定の遊技状態にあるか否かにかかわらず、前記第二保留手段による前記第二抽選用乱数の保留記憶によって前記第二抽選手段による抽選の実行が待機されているかを判断する第二保留消化先行判断手段と、
前記第二保留消化先行判断手段により前記第二抽選手段による抽選の実行が待機されている旨判断された場合、前記第一保留手段による保留記憶の有無にかかわらず、前記第二保留手段により保留記憶されている前記第二抽選用乱数をそれらの保留記憶順に基づいて読み出し、該読み出した前記第二抽選用乱数に基づいて前記第二抽選手段による抽選を実行させる第二保留先消化手段と、
前記第二保留消化先行判断手段により前記第二抽選手段による抽選の実行が待機されていない旨判断された場合にだけ、前記第一保留手段により保留記憶されている前記第一抽選用乱数をそれらの保留記憶順に基づいて読み出し、該読み出した前記第一抽選用乱数に基づいて前記第一抽選手段による抽選を実行させる第一保留後消化手段と、を備えることで、
前記カウンタ手段によって個別にカウントされる前記第一抽選用乱数の数と前記第二抽選用乱数の数とがいずれも「１」以上である場合は、前記第一保留手段により保留記憶されている前記第一抽選用乱数と前記第二保留手段により保留記憶されている前記第二抽選用乱数との間での保留記憶の順序にかかる先後関係にかかわらず、前記待機の状態とされている前記第二抽選手段による抽選を前記第二保留先消化手段によりすべて消化してから、前記待機の状態とされている前記第一抽選手段による抽選を実行させるようにした」ことを特徴とする遊技機。
【手続補正３】
【補正対象書類名】明細書
【補正対象項目名】００２０
【補正方法】変更
【補正の内容】
【００２０】
また、第一抽選手段及び第二抽選手段のいずれに対しても保留処理が行われる。詳しくは、第一保留手段は、第一有利遊技状態もしくは第二有利遊技状態の発生中（すなわち大当り中）、または第一表示態様もしくは第二表示態様の導出中に、第一入賞状態検出手段によって遊技媒体が検出された場合、その検出に基づく第一抽選手段による抽選の実行を待機させる。また、第二保留手段は、上記と同様に、有利遊技状態の発生中または表示態様の導出中に、第二入賞状態検出手段によって遊技媒体が検出された場合、その検出に基づく第二抽選手段による抽選の実行を待機させる。
【手続補正４】
【補正対象書類名】明細書
【補正対象項目名】００２１
【補正方法】変更
【補正の内容】
【００２１】
特に、本発明では、第二抽選手段による抽選が待機中となった場合には、それ以前に第一抽選手段による抽選が待機中となっていても、第一抽選手段による抽選の実行よりも先に、第二抽選手段による抽選を実行させる。つまり、保留されていた処理が実行可能となった場合には、まず第二抽選手段による抽選の実行が保留されているかを判断し、保留されている場合には、第一抽選手段による抽選の保留の有無に関わらず、第二抽選手段による抽選の保留をすべて消化してから、第一抽選手段による抽選を実行する。換言すれば、遊技者が第二始動口に遊技媒体を頻繁に入賞させ、第二抽選手段による抽選の実行を待機させる状態を維持すれば、第一抽選手段による抽選が待機中であっても、それが実行されることを回避でき、「遊技媒体の付与の期待値が低い当り」の発生を防止することができる。つまり、第二始動口へ遊技媒体を入賞させ続けることにより、例えば「有利性の低い当りが発生したために、突然、確率変動状態が終了してしまうこと」を防止することができる。このため、遊技媒体の挙動に注意が注がれ、遊技意欲を向上させることが可能になる。また、遊技者は、第二抽選手段による抽選の待機状態が途切れないように遊技を行うこととなり、ひいては遊技機の稼動率を高めることが可能になる。